(57)【特許請求の範囲】
【請求項１】
手の平に当接出来るハンドル部と、
前記ハンドル部に対して、回転可能に連結されたハンドル軸と、
前記ハンドル軸に固定され、前記ハンドル部より下方に位置するチャック部と、
前記チャック部に保持されたドライバー本体と、
前記ドライバー本体の下端に固定されたチップとを備え、
前記チャック部は、２つの、Ｕ字型の部材で構成され、それらのＵ字の底辺同士で十文字に重ね合わされた状態で、前記ハンドル軸に固定されたものであり、
前記Ｕ字型の部材の側辺部は複数個の屈曲部を有し、外側に湾曲して張り出していることによって、指が引っ掛けやすくなっており、
前記Ｕ字型の部材の外側に張り出した側辺部の全体の大きさは、前記ドライバー本体の太さよりも大きい、回転アシスト付ドライバー。
【請求項２】
前記ドライバー本体の上端にはソケット穴が穿設され、前記ハンドル軸の下端が、前記ソケット穴に嵌められている、請求項１記載の回転アシスト付ドライバー。
【請求項３】
前記ドライバー本体は、直方体形状をしており、その４つの側面に、前記Ｕ字型部材の各辺がその剛性をもって当接している、請求項１記載の回転アシスト付ドライバー。
【請求項４】
前記直方体形状のドライバー本体の、前記チャック部の前記Ｕ字型部材の先端の屈曲部が当接する部分には、所定深さの切り欠き部が形成されている、請求項３記載の回転アシスト付ドライバー。
【請求項５】
前記ドライバー本体は、前記チャック部に対して取替え可能に保持されており、又は、前記チップは、前記ドライバー本体に対して取替え可能に固定されている、請求項１記載の回転アシスト付ドライバー。
【請求項６】
前記ドライバー本体は前記チャック部から外された状態で、通常のドライバーとして利用可能である、請求項５記載の回転アシスト付ドライバー。
【発明の詳細な説明】
【技術分野】
【０００１】  手動ネジ用ドライバーに、回転をアシストする機能を取り付けました。
【背景技術】
【０００２】  未公開の特許願（特願２００７−２９８０９）のドライバー回転アシストで特許願い済みの内容である、ドライバー回転を補助する機能を手動ドライバーに一体化させました。
【発明の開示】
【発明が解決しようとする課題】
【０００３】  手動で使用するネジ用ドライバー使用時、手力だけで回すのは、疲れますし、非効率的です。【０００４】  押し圧力を掛けながら回す場合、手のひらが抵抗になって回転がスムーズに行きません。ドライバーを回転させる時に使う筋肉は、ほとんど手の指の筋肉です。使う筋肉が小さく限定されていますので、すぐに疲れます。木ネジの場合は力が必要ですが、そうでないネジでただ回転させれば良い時はいちいち指で回転させるのは却って非効率的です。
【課題を解決するための手段】
【０００５】  第１の本願発明は、手の平に当接出来るハンドル部と、
前記ハンドル部に対して、回転可能に連結されたハンドル軸と、
前記ハンドル軸に固定され、前記ハンドル部より下方に位置するチャック部と、
前記チャック部に保持されたドライバー本体と、
前記ドライバー本体の下端に固定されたチップとを備え、
前記チャック部は、２つの、Ｕ字型の部材で構成され、それらのＵ字の底辺同士で十文字に重ね合わされた状態で、前記ハンドル軸に固定されたものであり、
前記Ｕ字型の部材の側辺部は複数個の屈曲部を有し、外側に湾曲して張り出していることによって、指が引っ掛けやすくなっており、
前記Ｕ字型の部材の外側に張り出した側辺部の全体の大きさは、前記ドライバー本体の太さよりも大きい、回転アシスト付ドライバーである。【０００６】又、第２の本願発明は、前記ドライバー本体の上端にはソケット穴が穿設され、前記ハンドル軸の下端が、前記ソケット穴に嵌められている、第１の本願発明の回転アシスト付ドライバーである。【０００７】又、第３の本願発明は、前記ドライバー本体は、直方体形状をしており、その４つの側面に、前記Ｕ字型部材の各辺がその剛性をもって当接している、第１の本願発明の回転アシスト付ドライバーである。【０００８】又、第４の本願発明は、前記直方体形状のドライバー本体の、前記チャック部の前記Ｕ字型部材の先端の屈曲部が当接する部分には、所定深さの切り欠き部が形成されている、第３の本願発明の回転アシスト付ドライバーである。【０００９】又、第５の本願発明は、前記ドライバー本体は、前記チャック部に対して取替え可能に保持されており、又は、前記チップは、前記ドライバー本体に対して取替え可能に固定されている、第１の本願発明の回転アシスト付ドライバーである。【００１０】又、第６の本願発明は、前記ドライバー本体は前記チャック部から外された状態で、通常のドライバーとして利用可能である、第５の本願発明の回転アシスト付ドライバーである。【００１１】  手の下でドライバ−が抵抗なく回転できるよう、ハンドルより下の部分がくるくる回る構造にします。指の筋肉による回転力だけでなく手全体の筋肉を利用して回転できるよう、軸の外周を従来より大きくし、大きめな指の引っかかり部分も作ります。【００１２】  ［第一発明］
［  図１〜図３］  Ｄ部はハンドル部Ａを固定したまま軸Ｃを中心にして回転できます。ハンドルを手の平内に固定したまま、ドライバ−をセットするクリップチャックとドライバーの本体部分をハンドル軸を中心に回転させることが出来る、ドライバ−の方式と構造。【００１３】  ［第二発明］
ドライバーをセットするクリップチャックは十字型の羽根車状になっています。ドライバー軸の外周より羽根車の外周のほうが大きいので、力強く楽に回転させることができ、又、その羽根車の部分を使用すれば人指し指中指等での引っかけ回しのできる構造の、ドライバーのクリップチャックの方式と構造。【００１４】  ［第三発明］
ドライバーはハンドル軸Ｃを軸セット穴Ｅ１に入れてセットします。これによりハンドル軸Ｃとドライバ−の縦方向の方向性が一致し、横方向からの力によって軸がぶれるのを防ぎます。ドライバ−ソケット穴にハンドル軸を差込んでセットする方式と構造。【００１５】  ［第四発明］
図１〜図３のＤ１、Ｄ２はクリップチャックの根元部分です。図３に示しますようにドライバーの四角の４面に、段違いではありますがピッタリとくっつく四角い形状になっています。この四角のがっちりとした部分で、ドライバ−の回転軸に加わる回転方向の力を抑えるようになっています。ドライバー軸を四角にし、それをクリップバネを十字型にセットすることにより生じた四角形内にセットすることで、ドライバ−の回転軸に加わる回転方向の力を抑える構造。【００１６】  ［第五発明］
図１〜図３のＤ３、Ｄ４はクリップの先端部分です。図３に示しています先端部分には、バネクリップですので内側に向けて力がかかっていて、ドライバ−が抜けないように保持しています。バネクリップが、ドライバ−の抜けないように保持しているクリップチャックの方式と構造。【００１７】  ［第六発明］
図１のＥのドライバーは、図２に示しますようにはずすことが簡単にできます。必要に応じて、セットして使うことも、はずして使うこともでき、又、必要に応じてＥ２の先端部分が違う、例えばプラス型のチップの付いたドライバーに変えたり、チップ自体を変えたりすれば、迅速な交換、多様な使い方ができるドライバ−システムと構造。
【発明の効果】
【００１８】  疲労の減少
従来型のドライバーを使用する時、ドライバーを回転させる方の指は回転とドライバーの保持の両方を兼ねていたので指で摘む形で回すしかなく、指が疲れましたが、回転アシスト付ドライバー使用の場合は手の平でドライバーを押しながら保持出来るので、指がフリ−になり回転動作に指全体、あるいは手全体の筋肉を使用でき、疲労度が軽くなります。【００１９】  効率の良い回転、作業時間の短縮可能
ハンドル部分を保持した体勢でしたら、ハンドル以下の部分を空回転させる事が出来ます。力のいらないネジ閉めの中間部分、あるいは力のいらないネジの緩め途中等の時、空回転させるように回すことが出来、効率よく回せます。【００２０】  従来型のドライバーは親指と人指し指中指等で摘んで使用しましたが、このドライバーは羽根部に指を引っ掛ける引っ掛け回転ができます。その場合、親指を使用しないで人指し指と中指でも回転でき、空回転のように回す時には効果的に使用できます。【００２１】  力強い締めが可能
羽根車形クリップチャックの外周円が大きいので、強い締めも楽にできます。【００２２】  両手で作業性アップ可能
右手でハンドル押さえて、左手でドライバー自体回転させる場合、左手が完全フリ−なので大きく回転させることができ、より作業性がよりアップします。
【発明を実施する為の最良の形態】
【００２３】  図１はドライバーの正面図、図２はその側面図、図３はその底面図である。また、図８はその斜視図である。
【００２４】  図１〜図３において、Ａはハンドルです。幅を狭くして手の平に納め易くし、長さも片側短片側長の形状にしました。右片手で使用する場合に、短い側を人指し指の根元に当てた場合、前に何も無い分人指し指中指を左前方まで持っていけ、可動範囲を広く使用できます。
【００２５】  ハンドルは手首側に長くなっていますので、手首側に手の位置を移動すれば、手の可動範囲を変更する事も可能です。
【００２６】  図１〜図３のＢはハンドル固定金具です。ハンドルが軸から抜けないようにしてあります。しかし、ハンドル自体を固定していませんのでハンドルは抜けないで、尚且つハンドル以下は回転可能となっています。すなわち、ハンドルＡに横穴Ｂ１が設けられ、さらにその横穴Ｂ１には下からハンドル軸Ｃが貫通する孔が空けられている。さらに、その貫通孔にハンドル軸Ｃの上端がはめ込まれると同時に、その貫通孔の大きさよりも大きい環状固定金具がハンドル軸Ｃの上端にはめ込まれ、さらに、その固定金具がねじによってハンドル軸Ｃに固定されている。
【００２７】  このような構造によって、ハンドル軸Ｃは、ハンドルＡに連結されるとともに、回転可能になる。
【００２８】  図１〜図３のＥはドライバ−本体で、Ｄはドライバ−をセットするクリップチャック部分です。このチャック部分は、２箇所の屈曲部を持つＵ字型部材を、その底辺部で互いに十字に交差させ、互いにバンドＨにより、補助板Ｇを利用して、連結されている。さらに、ねじＦによって、この補助板Ｇは、ハンドル軸Ｃに固定されている。このチャック部分は、上述したように、バネクリップを十字型に組んだ羽根車形の形状になっています。なお、Ｕ字型部材は、その先端はある程度弾力性があるが、その底辺近くの根元部分は強い剛性を有した金属部材である。
【００２９】  右手で回す場合を例に取ると、前記２つのＵ字型の十字交差型チャック部分は、その羽根部、つまり、Ｕ字型の側部に、右手の指を引っ掛けて回転させる事が可能です。
【００３０】  クリップチャックの全体の大きさ（Ｕ字型の側部全体としての大きさ。円経）が、ハンドル軸Ｃよりも大きく、力も掛けやすいので親指を使用せず人指し指や中指等だけで引っ掛け回転ができますし右手でハンドルを持ち、左手で羽根車の部分を手の平内で回しても、楽に、多く回転できます。
【００３１】  ドライバーはハンドル軸Ｃをソケット穴Ｅ１に差し入れてセットします。これによりハンドル軸Ｃとドライバ−の縦方向の方向性が一致し、又、横方向からの力によって軸がぶれるのを防ぎます。
【００３２】  図１のＤ１、Ｄ２はクリップチャックの根元部分です。図３に示しますようにドライバーの四角の４面にピッタリとくっつく、段違いの、四角い形状になっています。この四角のがっちりとした部分で、ドライバ−の回転軸に加わる回転方向の力に耐えるようになっています。
【００３３】  図１のＤ３、Ｄ４はクリップチャックの先端部分です。図３に示しています先端部分には、バネクリップですので内側に向けて力がかかっていて、ドライバ−が抜けないように保持しています。
【００３４】  図１のＥのドライバーは、図４，５，６、７に示しますようにはずすことが簡単にできます。必要に応じて、セットして使うこともはずして使うことも可能です。又、必要に応じてＥ２の先端部分が違う、例えばプラス型のチップの付いたドライバーに変えたり、チップ自体を変えたりすれば、迅速な交換、あるいは多様な使い方ができます。
【００３５】  なお、ドライバー本体はチャック部から外された状態で、通常のドライバーとして利用可能であります。
【００３６】  なお、図９は、本発明の他の実施の形態の回転アシスト付ドライバーの正面図であり、図１０は、同ドライバーの側面図、図１１は、同ドライバーの底面図、図１２は同ドライバーから、ドライバー本体を外した正面図、図１３は、図１２の底面図、図１４は、同ドライバーのドライバー本体の正面図、図１５は、図１４の底面図、図１６は、同ドライバーの斜視図である。
【００３７】  この他の実施の形態は、上述した実施の形態のドライバーとは次の点が異なっている。すなわち、補助版Ｇが、上述した実施の形態ではバンドＨで互いに固定されるとともに、クリップチャック部分Ｄも連結して軸Ｃに固定している。
【００３８】  これに対して、この他の実施の形態では、補助版Ｇは、ねじＪによって、互いに固定されるとともに、クリップチャック部分Ｄも連結して軸Ｃに固定している点がことなっている。
【図面の簡単な説明】
【００３９】
【図１】本発明の実施の形態の回転アシスト付ドライバーの正面図
【図２】同ドライバーの側面図
【図３】同ドライバーの底面図
【図４】同ドライバーから、ドライバー本体を外した正面図
【図５】図４の底面図
【図６】同ドライバーのドライバー本体の正面図
【図７】図６の底面図
【図８】同ドライバーの斜視図
【図９】本発明の他の実施の形態の回転アシスト付ドライバーの正面図
【図１０】同ドライバーの側面図
【図１１】同ドライバーの底面図
【図１２】同ドライバーから、ドライバー本体を外した正面図
【図１３】図１２の底面図
【図１４】同ドライバーのドライバー本体の正面図
【図１５】図１４の底面図
【図１６】同ドライバーの斜視図
【符号の説明】
【００４０】  Ａはハンドル、Ｂはハンドル固定金具、Ｂ１は横穴、Ｃはハンドル軸、Ｄはクリップチャック、Ｄ１、Ｄ２はクリップチャックの根元、Ｄ３、Ｄ４はクリップチャックの先端、Ｅはドライバ−、Ｅ１はドライバ−ソケット穴、Ｅ２はドライバーチップ、Ｆはねじ、Ｇは補助版、Ｈはバンド、Ｉは切り欠き部、Ｊはねじ。
【図１】
0004352436.tif 000002
【図２】
0004352436.tif 000003
【図３】
0004352436.tif 000004
【図４】
0004352436.tif 000005
【図５】
0004352436.tif 000006
【図６】
0004352436.tif 000007
【図７】
0004352436.tif 000008
【図８】
0004352436.tif 000009
【図９】
0004352436.tif 000010
【図１０】
0004352436.tif 000011
【図１１】
0004352436.tif 000012
【図１２】
0004352436.tif 000013
【図１３】
0004352436.tif 000014
【図１４】
0004352436.tif 000015
【図１５】
0004352436.tif 000016
【図１６】
0004352436.tif 000017